(57)【要約】【課題】住戸人が、朝、慌ただしく出かけ、防犯スイッチをオンにする操作を忘れても、防犯スイッチを確実にオンすることができる住宅情報盤を提供することを目的とするものである。【解決手段】ドアまたは窓に防犯センサが設置され、上記防犯センサが動作したときに警報を行う住宅情報盤において、防犯センサが接続され、住戸内に設けられている住宅情報盤において、防犯センサによる警戒開始時刻を、タイマで予め設定できるようにする住宅情報盤である。【選択図】図２
2009245205.tif 000002
【特許請求の範囲】
【請求項１】
ドアまたは窓に防犯センサが設置され、上記防犯センサが動作したときに警報を行う住宅情報盤において、
上記防犯センサによる警戒開始時刻を設定するための操作手段と；
上記操作手段を介して設定された警戒開始時刻を記憶する記憶手段と；
時刻を計時するタイマと；
上記タイマが上記警戒開始時刻を計時すると、上記防犯センサを警戒状態にする制御手段と；
を有することを特徴とする住宅情報盤。
【請求項２】
請求項１において、
警戒状態が開始される所定時間前に、所定時間後に警戒状態に移行する旨の音声メッセージを出力する音声出力手段を有することを特徴とする住宅情報盤。
【請求項３】
請求項１または請求項２において、
上記記憶手段は、警戒状態を解除する警戒終了時刻が記憶される手段であることを特徴とする住宅情報盤。
【発明の詳細な説明】
【技術分野】
【０００１】
本発明は、インターホンシステムにおける住宅情報盤に関する。
【背景技術】
【０００２】
集合住宅のインターホンシステムは、各住戸に設置した住宅情報盤と、管理員室に設置した管理室親機と、集合玄関に設置した集合玄関機とによって構成され、それぞれの機器間でインターホンを通話する。また、防犯センサが接続されている住宅情報盤が知られている（たとえば、特許文献１参照）。
【０００３】
防犯センサは、住戸の窓やドアに配置され、防犯センサが検出した状態を住宅情報盤が監視している。窓枠またはドア枠に、防犯センサとしてのリードスイッチが配置され、また、窓またはドアに磁石が配置されている。この場合、窓やドアが戸締りされていれば、リードスイッチが磁石を介して閉じ、窓やドアが開放されると、リードスイッチが開く構成が一般的である。
【０００４】
住宅情報盤において、外出する際に窓やドアを完全に閉めてから、防犯スイッチを操作すると、防犯モードが開始され、住戸内が警戒状態に設定される。そして、この状態で、不法侵入者が窓やドアを開けると、防犯センサが異常を検出し、異常信号を出力し、この異常信号の出力によって、内部音響やドアホン子機から警報音が鳴り、管理人室に移報出力する等の異常報知を行う。
【特許文献１】特開平１０−０１３９６７号公報
【発明の開示】
【発明が解決しようとする課題】
【０００５】
従来の防犯センサは、住宅情報盤に設けられている防犯スイッチをオンにするか、または、玄関外にある警戒設定スイッチをオンにすることによって、警戒状態に設定される。このように、防犯モード（警戒状態）にするには、必ずスイッチの操作が必要である。
【０００６】
しかし、住戸人が、朝、出かける際、慌ただしければ、防犯スイッチをオンにする操作を忘れて出かけ、つまり、防犯モードにせずに外出することがある。
【０００７】
また、外出時以外に、就眠時等、在宅状態でも、防犯モードに設定する場合がある。しかし、たとえば、住戸人が疲れて帰宅した場合等には、防犯スイッチをオンにする操作を忘れると、無警戒の状態になってしまう場合がある。
【０００８】
本発明は、住戸人が、朝、慌ただしく出かけ、防犯スイッチをオンにする操作を忘れても、防犯スイッチを確実にオンすることができる住宅情報盤を提供することを目的とするものである。
【０００９】
また、本発明は、住戸人が、夜、防犯スイッチをオンにする操作を忘れても、防犯スイッチが確実にオンされる住宅情報盤を提供することを目的とするものである。
【課題を解決するための手段】
【００１０】
本発明は、ドアまたは窓に防犯センサが設置され、上記防犯センサが動作したときに警報を行う住宅情報盤において、防犯センサが接続され、住戸内に設けられている住宅情報盤において、防犯センサによる警戒開始時刻を、タイマで予め設定できるようにする住宅情報盤である。
【発明の効果】
【００１１】
本発明によれば、住戸人が、朝、慌ただしく出かけ、防犯スイッチをオンにする操作を忘れても、防犯スイッチを確実にオンすることができるという効果を奏する。
【００１２】
また、本発明によれば、住戸人が、夜、防犯スイッチをオンにする操作をし忘れても、防犯スイッチを確実にオンすることができるという効果を奏する。
【発明を実施するための最良の形態】
【００１３】
発明を実施するための最良の形態は、以下の実施例である。
【実施例１】
【００１４】
図１は、本発明の実施例１である住宅情報盤１００を示すブロック図である。
【００１５】
住宅情報盤１００は、制御手段１１と、送受信手段１２と、呼出音発生回路１３と、操作手段１４と、通話回路１５と、音声出力回路１６と、マイクＭＣ１と、スピーカＳＰ１と、防犯信号受信回路３１と、警戒開始時刻記憶手段４１と、警戒終了時刻記憶手段４２と、タイマ４３と、表示手段４４と、記憶手段４５とを有する。
【００１６】
防犯信号受信回路３１には、防犯センサＳＥ１、ＳＥ２、ＳＥ３が接続されている。
【００１７】
住宅情報盤１００は、ドアまたは窓に防犯センサＳＥが設置され、上記防犯センサＳＥが動作したときに警報を行う住宅情報盤である。
【００１８】
制御手段１１は、タイマ４３が上記警戒開始時刻を計時すると、防犯センサＳＥ１、ＳＥ２、ＳＥ３を警戒状態にする制御を行う。呼出音発生回路１３は、「ピンポン」等の呼出音を発生する回路である。操作手段１４は、防犯センサＳＥによる警戒開始時刻および警戒終了時刻を設定するための手段である。
【００１９】
音声出力回路１６は、警戒状態が開始される所定時間（たとえば数分間）前に、所定時間後に警戒状態に移行する旨の音声メッセージ（たとえば「あと５分後に、警戒状態になります」のメッセージ）を出力する音声出力手段の例である。
【００２０】
音声出力回路１６は、この予告警報を行う際、防犯センサの状態を検知する。そして、窓等が開いており防犯センサＳＥからの信号を受信する場合には、警戒状態に不具合がある旨を知らせる音声を出力する。たとえば、「窓ガラスがあいています」という記憶してある音声メッセージを出力する。
【００２１】
警戒開始時刻記憶手段４１は、操作手段１４を介して設定された警戒開始時刻を記憶する。警戒終了時刻記憶手段４２は、操作手段１４を介して設定された警戒状態を解除する時刻を記憶している。タイマ４３は、時刻を計時する。
【００２２】
記憶手段４５は、各種プログラム、後述する図２に示すメニュー画面、各設定画面等の表示内容を記憶する。
【００２３】
次に、上記実施例の動作について説明する。
【００２４】
図２は、上記実施例の動作説明図である。
【００２５】
住戸の居住者は、住宅情報盤１００の操作手段１４を操作し、表示手段４４にメニュー画面を表示させる。Ｓ１で、メニュー画面が表示され、防犯センサＳＥ１、ＳＥ２、ＳＥ３を警戒状態にするための時刻を設定する「警戒開始／終了時刻設定」を選択し決定する。続いて、Ｓ２で開始時刻の設定を行い、警戒開始時刻記憶手段４１に記憶させる。この操作の際には、警戒状態を開始させる時刻だけでなく、Ｓ３で、警戒状態を終了させる時刻を任意に設定することができる。なお、上記警戒開始時刻は、警戒開始時刻記憶手段４１に記憶され、上記警戒終了時刻は、警戒終了時刻記憶手段４２に記憶される。
【００２６】
この時刻の設定に関する操作は、たとえば、操作手段１４に設けられている上下キーを操作することによって、表示手段４４に表示されている「ＡＭ」、「ＰＭ」の項目を選択し、図示しない決定釦で確定させる。その後、カーソルが時刻部分にうつるので、再度、上下キーを操作することによって、表示手段４４に表示されている数字を変化させ、時、分を設定し、決定釦を押し、開始時刻、終了時刻を登録する。
【００２７】
また、Ｓ４で、警戒開始時刻の何分前に予告警報を出すかを設定する。
【００２８】
住宅情報盤１００は、時刻を計時するタイマ４３を備え、タイマ４３に基づく時刻が、警戒開始時刻記憶手段４１に記憶されている警戒の開始時刻になると防犯スイッチを押すことなく自動的に防犯モードになり、住戸内は警戒状態となる。この際、いきなり、警戒状態にすると、居住者が、ドアを開けて外出しようとすると、スピーカＳＰ１から警報音が出てしまう。そこで、Ｓ４で設定した警戒開始時刻の所定時間前、例えば５〜１０分前になったら、音声出力回路１６から、たとえば「あと５〜１０分後に、警戒状態になります」と音声メッセージをスピーカＳＰ１を介して出力し、間もなく警戒状態になることを居住者に知らせる。つまり予告警報を出す。
【００２９】
この予告警報を行う際、防犯センサＳＥ１、ＳＥ２、ＳＥ３の状態を検知し、窓等が開いている場合には、「窓ガラスがあいています」を音声出力回路１６からスピーカＳＰ１を介して出力し、戸締まりを促す音声メッセージを鳴動させる。なお、１０分間以内に外出できない状態であれば、操作手段１４のスイッチを操作し、警戒を解除する操作を行ったり、開始時刻を変更する操作を行う。
【００３０】
このように、防犯モードに移る開始時刻を予め設定し、この設定された時刻になれば、自動的に防犯モードにすることによって、外出する際、その都度、防犯スイッチを操作する必要がないので、操作のし忘れによる警戒状態の設定を忘れるという事態を防ぐことができる。
【００３１】
特に、毎朝、ほぼ同じ時刻に外出することが決まっている居住者にとって、実施例１では、毎朝のスイッチ操作が不要になるので、便利である。また、これと同様に、帰宅後、就寝前に防犯モードにする場合、スイッチを操作せずに、防犯モードに移行できるので、うっかり寝込んでしまっても、侵入者に備えることができる。
【００３２】
なお、上記のように、警戒終了時刻記憶手段４２に、警戒状態を解除する時刻を記憶させることができる。たとえば、母親が１３時に、買い物のために外出し、子供が１５時に学校から帰宅する場合、警戒開始時刻を１３時に設定し、警戒終了時刻を１５時に設定しておけばよい。
【００３３】
防犯モードを解除する場合、玄関を開けてから、１，２分間の間に、住宅情報盤で暗証番号を入力すれば、警戒状態を解除できるが、子供が幼い場合、暗証番号を忘れたりし、解除操作ができない場合がある。
【００３４】
そこで、事前に、子供の帰宅時刻に合わせて、自動的に防犯モードを解除するようにすれば、子供に暗証番号を教える必要もなく、また子供が解除操作をできなくても、問題なく、防犯モードを解除することができる。
【００３５】
なお、警戒開始時刻、警戒終了時刻として、複数の時刻を記憶できるようにしてもよい。
【００３６】
たとえば、防犯モードは、居住者が外出する外出モードと、居住者が就寝する際の就寝モードとがあるので、それぞれのモードにおける警戒の開始時刻と終了時刻とを記憶できるようにしてもよい。
【図面の簡単な説明】
【００３７】
【図１】本発明の実施例１である住宅情報盤１００を示すブロック図である。
【図２】上記実施例の動作説明図である。
【符号の説明】
【００３８】
１００…住宅情報盤、
１１…制御手段、
１３…呼出音発生回路、
１４…操作手段、
３１…防犯信号受信回路、
４１…警戒開始時刻記憶手段、
４２…警戒終了時刻記憶手段、
４４…表示手段、
ＳＥ１、ＳＥ２、ＳＥ３…防犯センサ。
【図１】
2009245205.tif 000003
【図２】
2009245205.tif 000004